【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
端末間通信に応用される衝突解決方法であって、
前記端末デバイスがＭ個の第１のタイプのキャリアで伝送されるサイドデータのパケット優先度ＰＰＰＰ及び第１の閾値に基づいて、前記Ｍ個の第１のタイプのキャリアの一部又は全部のキャリアでサイドデータを優先的に伝送すると決定することを含み、
Ｍが正の整数である
ことを特徴とする衝突解決方法。
【請求項２】
Ｕ個の第１のタイプのキャリアにおいてサイドデータのＰＰＰＰが第１の閾値よりも小さく、ＵがＭ以下である場合
前記Ｍ個の第１のタイプのキャリアの一部又は全部のキャリアでサイドデータを優先的に伝送すると決定することは、
前記端末デバイスが前記Ｕ個の第１のタイプのキャリアでサイドデータを優先的に伝送すると決定することを含む
ことを特徴とする請求項１に記載の衝突解決方法。 
【請求項３】
前記Ｕ個の第１のタイプのキャリアで伝送されるサイドデータと、前記Ｋ個の第２のタ  イプのキャリアで伝送される上りデータとが使用される総送信電力が前記端末デバイスの最大送信電力の以下であり、Ｋが正の整数である
ことを特徴とする請求項２に記載の衝突解決方法。
【請求項４】
前記Ｕ個の第１のタイプのキャリアでのサイドデータの伝送が完了した後、前記方法は、さらに、
前記端末デバイスがＱ個の第２のタイプのキャリアにおいて上りデータを伝送し、Ｓ個の第１のタイプのキャリアにおいてサイドデータを伝送することを含み、
前記Ｕ個の第１のタイプのキャリアで伝送されるサイドデータと、前記Ｑ個の第２のタイプのキャリアで伝送される上りデータと、前記Ｓ個の第１のタイプのキャリアで伝送されるサイドデータとが使用される総送信電力が、前記端末デバイスの最大送信電力以下であり、ＱとＳが正の整数である
ことを特徴とする請求項２又は３に記載の衝突解決方法。
【請求項５】
前記端末デバイスが、前記Ｕ個の第１のタイプのキャリアでサイドデータを優先的に伝送すると決定することは、
前記端末デバイスが、信頼性要求が第１の閾値以上であるサイドデータを前記Ｕ個の第１のタイプのキャリアで優先的に伝送すると決定することを含む
ことを特徴とする請求項２〜４のいずれか１項に記載の衝突解決方法。
【請求項６】
前記サイドデータがパケットデータコンバージェンスプロトコルＰＤＣＰに基づいてコピー伝送される第１のサイドデータ及び第２のサイドデータを含み、前記第２のサイドデータが前記第１のサイドデータのコピーデータである場合、
前記端末デバイスが前記Ｕ個の第１のタイプのキャリアでサイドデータを優先的に伝送すると決定することは、
前記端末デバイスが、前記Ｕ個の第１のタイプのキャリアで前記第１のサイドデータを優先的に伝送すると決定することを含む
ことを特徴とする請求項２〜４のいずれか１項に記載の衝突解決方法。
【請求項７】
前記方法は、さらに、
前記端末デバイスが、前記Ｕ個の第１のタイプのキャリアでの前記第２のサイドデータの伝送をキャンセルすると決定することを含む
ことを特徴とする請求項６に記載の衝突解決方法。
【請求項８】
前記Ｍ個の第１のタイプのキャリアにおいて少なくとも１つのサイドデータのＰＰＰＰが第１の閾値よりも小さい場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを伝送すると決定することは、
前記端末デバイスが、前記Ｍ個の第１のタイプのキャリアで前記サイドデータを伝送すると決定することを含む
ことを特徴とする請求項１に記載の衝突解決方法。
【請求項９】
前記方法は、さらに、
前記端末デバイスが前記第２のタイプのキャリアでの上りデータの伝送をキャンセルすることを含む
ことを特徴とする請求項８に記載の衝突解決方法。
【請求項１０】
前記端末デバイスが、前記Ｍ個の第１のタイプのキャリアで前記サイドデータを伝送すると決定することは、
前記端末デバイスが、信頼性要求が第１の閾値以上であるサイドデータを前記Ｍ個の第１のタイプのキャリアで優先的に伝送すると決定することを含む
ことを特徴とする請求項８又は９項に記載の衝突解決方法。
【請求項１１】
端末間通信に応用され、処理ユニットを備える端末デバイスであって、
前記処理ユニットは、前記Ｍ個の第１のタイプのキャリアで伝送されるサイドデータのパケット優先度ＰＰＰＰ及び第１の閾値に基づいて、前記Ｍ個の第１のタイプのキャリアの一部又は全部のキャリアでサイドデータを優先的に伝送すると決定するように構成され、
Ｍが正の整数である
ことを特徴とする端末デバイス。
【請求項１２】
Ｕ個の第１のタイプのキャリアにおいてサイドデータのＰＰＰＰが第１の閾値よりも小さく、ＵがＭ以下である場合、
前記処理ユニットは、
前記Ｕ個の第１のタイプのキャリアでサイドデータを優先的に伝送すると決定するように構成される
ことを特徴とする請求項１１に記載の端末デバイス。 
【請求項１３】
前記Ｕ個の第１のタイプのキャリアで伝送されるサイドデータと、Ｋ個の第２のタイプのキャリアで伝送される上りデータとが使用される総送信電力が前記端末デバイスの最大送信電力の以下であり、Ｋが正の整数である
ことを特徴とする請求項１２に記載の端末デバイス。
【請求項１４】
前記Ｍ個の第１のタイプのキャリアにおいて少なくとも１つのサイドデータのＰＰＰＰが第１の閾値よりも小さい場合、
前記処理ユニットは、前記Ｍ個の第１のタイプのキャリアで前記サイドデータを優先的に伝送すると決定するように構成される
ことを特徴とする請求項１１に記載の端末デバイス。
【請求項１５】
前記処理ユニットは、第２のタイプのキャリアでの上りデータの伝送をキャンセルするように構成される
ことを特徴とする請求項１４に記載の端末デバイス。
【請求項１６】
前記処理ユニットは、信頼性要求が第１の閾値以上であるサイドデータを前記Ｍ個の第１のタイプのキャリアで優先的に伝送すると決定することを含む
ことを特徴とする請求項１４又は１５項に記載の端末デバイス。
【請求項１７】
前記処理ユニットは、さらに、前記Ｍ個の第１のタイプのキャリアでの信頼性要求が第１の閾値以下であるサイドデータの伝送をキャンセルすると決定するように構成される
ことを特徴とする請求項１６に記載の端末デバイス。
【請求項１８】
前記サイドデータがＰＤＣＰに基づいてコピー伝送される第１のサイドデータ及び第２のサイドデータを含み、前記第２のサイドデータが前記第１のサイドデータのコピーデータである場合、
前記処理ユニットは、
前記Ｍ個の第１のタイプのキャリアで前記第１のサイドデータを優先的に伝送すると決定するように構成される
ことを特徴とする請求項１４又は１５に記載の端末デバイス。
【請求項１９】
前記処理ユニットは、さらに、前記Ｍ個の第１のタイプのキャリアでの前記第２のサイドデータの伝送をキャンセルすると決定するように構成される
ことを特徴とする請求項１８に記載の端末デバイス。
【請求項２０】
端末間通信に応用される端末デバイスであって、
前記端末デバイスは、第１のタイプのキャリアで伝送されるサイドデータのパケット優先度ＰＰＰＰ及び第１の閾値に基づいて、前記第１のタイプのキャリアでサイドデータを優先的に伝送すると決定する
ことを特徴とする端末デバイス。
【請求項２１】
前記端末デバイスは、第１のタイプのキャリアにおいて前記サイドデータを送信する前記ＰＰＰＰが第１の閾値よりも小さい場合、
第１のタイプのキャリアで前記サイドデータをに伝送すると決定する
ことを特徴とする請求項２０に記載の端末デバイス。
【請求項２２】
前記端末デバイスが第２のタイプのキャリアにおいて上りデータを伝送し、第１のタイプのキャリアにおいてサイドデータを伝送する場合、
前記第１のタイプのキャリアで伝送されるサイドデータと、前記第２のタイプのキャリアで伝送される上りデータとが使用される総送信電力が、前記端末デバイスの最大送信電力以下である
ことを特徴とする請求項２０又は２１に記載の端末デバイス。
【請求項２３】
前記第１のタイプのキャリアは、ＰＣ５キャリアであり、
前記第２のタイプのキャリアは、Ｕｕキャリアであり得る
ことを特徴とする請求項２２に記載の端末デバイス。